(57)【特許請求の範囲】
【請求項１】
医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索手段と、
前記検索手段により関連するオーダが検索された場合に、関連するオーダが存在することを警告する警告手段とを備えたことを特徴とするオーダ管理装置。
【請求項２】
前記検索手段は、各オーダに含まれる、前記医用レポートの作成の依頼元情報及び前記医療検査を受けた患者の患者ＩＤを照合して、関連するオーダを検索することを特徴とする請求項１記載のオーダ管理装置。
【請求項３】
前記オーダテーブルに登録された複数のオーダのリストが表示されるリスト画面の出力を制御する制御手段を備えたことを特徴とする請求項１又は２記載のオーダ管理装置。
【請求項４】
前記警告手段は、前記リスト画面内に、前記関連するオーダがある旨の情報を表示することを特徴とする請求項３記載のオーダ管理装置。
【請求項５】
前記警告手段は、前記リスト画面で１つのオーダが選択されたときに、選択されたオーダに関連するオーダがある場合、その旨の第１メッセージを表示することを特徴とする請求項３又は４記載のオーダ管理装置。
【請求項６】
前記警告手段は、前記第１メッセージに加えて、関連するオーダの処理方法について、オーダ毎に医用レポートを１つずつ作成する個別処理、又は、前記統合処理のいずれかを選択すべきことを通知する第２メッセージを表示することを特徴とする請求項５記載のオーダ管理装置。
【請求項７】
前記医用レポートの作成を支援するレポート作成支援システムに組み込まれていることを特徴とする請求項１〜６いずれか記載のオーダ管理装置。
【請求項８】
医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索ステップと、
前記検索ステップにより関連するオーダが検索された場合に、関連するオーダが存在することを警告する警告ステップとを実行するオーダ管理装置の動作方法。
【請求項９】
医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索機能と、
前記検索機能により関連するオーダが検索された場合に、関連するオーダが存在することを警告する警告機能とをコンピュータに実現させることを特徴とするオーダ管理プログラム。
【発明の詳細な説明】
【技術分野】
【０００１】
本発明は、医用レポートのオーダを管理するオーダ管理装置、方法及びプログラムに関するものである。
【背景技術】
【０００２】
患者を主に担当する医師が所属し、外来患者や入院患者の診療活動の中心となる診療科（外科や内科など）と、診療科の医師の依頼に基づいて医療検査（以下、単に検査という）を実施する検査科が分科している病院においては、診療科から検査科への検査依頼が、医療情報システムを利用してオンラインで行われることが多い。
【０００３】
検査依頼をする診療科の医師（以下、依頼医という）は、診療科に配置された診療科端末に検査の依頼内容を入力し、診療科端末を通じて検査のオーダを発行する。オーダは、１件の検査に対して１件ずつ発行される。
【０００４】
検査科では、オーダ受付装置によって診療科からのオーダを受信し、受信したオーダの受付とその内容の確認を行って、オーダに従った検査を実施する。また、依頼医が検査に加えて医用レポートの作成を依頼している場合には、検査科では、検査で得られた検査データ（検査画像や数値データなど）に関する所見を記入した医用レポートを作成する。医用レポートの作成依頼は、例えば、検査のオーダに付随して行われる。作成された医用レポートは、検査データとともに依頼医に提供される。
【０００５】
特許文献１に記載されているオーダ受付装置では、微生物検査のオーダを受け付けた際に、そのオーダの内容から、指定された微生物検査と内容的に類似する、同種の別の微生物検査を検索して、依頼医に通知する通知機能を備えている。微生物検査は、患者の検体（喀痰、尿、便、血液、髄液、膿など）から、感染症の原因となる原因菌を検出して、検出した原因菌に対する抗生剤（ＴＥＩＣ：teicoplanin、ＴＯＢ：tobramycin、ＶＣＭ：vancomycinなど）を調べる検査である。上記オーダ受付装置は、例えば、１つの抗生剤を指定した微生物検査のオーダを受け付けた際に、指定された抗生剤に関連する他の抗生剤を検索し、検索した抗生剤に関する微生物検査のオーダを促すメッセージを依頼医に通知する。依頼医は、こうした通知を受けることで、オーダした検査内容が類似する、他の検査の存在を知ることが可能となり、必要に応じて、類似の検査を追加的にオーダすることができる。
【特許文献１】特開２００６−０９９３９７号公報
【発明の開示】
【発明が解決しようとする課題】
【０００６】
ところで、患者の病状について多角的な分析を行うために、１人の患者に対して、検査種が異なるなど、検査内容が異なる複数の検査を実施することも多い。これらの検査は、患者及び依頼医が共通する点で、関連する検査である。依頼医が検査科に対してこのような関連する複数の検査を依頼する場合には、検査科に対して、各検査で得られた検査データに対する個々の所見をそれぞれ記入した複数の医用レポートではなく、複数の検査の検査データを総合的に考察して、その考察結果を所見として記入した１つの医用レポートの作成を希望することがある。
【０００７】
しかし、上述のとおり、医用レポートの作成依頼は、１つの検査のオーダに付随して行われるため、複数の検査に関連性が有る場合でも、検査が異なれば、オーダが別々になるため、医用レポートのオーダも別々に行わざるを得ない。そのため、依頼医は、関連する複数の検査に関する総合的な医用レポートを希望する場合には、その旨を電話やメールによって検査科へ伝えている。
【０００８】
しかしながら、電話やメールによる連絡方法は、依頼医の連絡のし忘れや検査科内のスタッフ間の伝達ミスといった人為ミスが生じやすいという懸念がある。人為ミスが発生すると、最悪の場合、関連する複数の検査について、いったん別々に医用レポートを作成した後、改めて１つの医用レポートにまとめ直さなければならない。こうした作業のやり直しは、業務効率を大幅に悪化させる原因となっていた。
【０００９】
上記特許文献１に記載のオーダ受付装置では、オーダを受け付けた際に、検査内容が類似する検査を依頼医に通知しているのみであり、発行済みの複数のオーダの関連性を調べるなど、医用レポートの作成作業の業務効率を改善することに関して、何ら考慮されていない。
【００１０】
本発明は、上記背景に鑑みてなされたもので、医用レポートの作成作業に関する業務効率を改善することを目的とする。
【課題を解決するための手段】
【００１１】
上記課題を解決するために、本発明のオーダ管理装置は、医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索手段と、前記検索手段により関連するオーダが検索された場合に、関連するオーダが存在することを警告する警告手段とを備えたことを特徴とする。
【００１２】
前記検索手段は、例えば、各オーダに含まれる、前記医用レポートの作成の依頼元情報及び前記医療検査を受けた患者の患者ＩＤを照合して、関連するオーダを検索する。
【００１３】
前記オーダテーブルに登録された複数のオーダのリストが表示されるリスト画面の出力を制御する制御手段を備えることが好ましい。
【００１４】
前記警告手段は、例えば、前記リスト画面内に、前記関連するオーダがある旨の情報を表示する。
【００１５】
前記警告手段は、前記リスト画面の表示に加えて、または、その代わりに、前記リスト画面で１つのオーダが選択されたときに、選択されたオーダに関連するオーダがある場合、その旨の第１メッセージを表示する。さらに、前記警告手段は、前記第１メッセージに加えて、関連するオーダの処理方法について、オーダ毎に医用レポートを１つずつ作成する個別処理、又は、前記統合処理のいずれかを選択すべきことを通知する第２メッセージを表示してもよい。
【００１６】
オーダ管理装置は、前記医用レポートの作成を支援するレポート作成支援システムに組み込まれていることが好ましい。
【００１７】
本発明のオーダ管理装置の動作方法は、医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索ステップと、前記検索ステップにより関連するオーダが検索された場合に、関連するオーダが存在することを警告する警告ステップとを含むことを特徴とする。
【００１８】
本発明のオーダ管理プログラムは、医用レポートの作成を依頼するための依頼内容が記録された複数のオーダを医療検査単位で登録したオーダテーブルの中から、複数のオーダに対応する複数の検査データに基づく総合的な所見を含む１つの医用レポートを作成することにより、各オーダを統合して処理する統合処理が可能な、関連するオーダを検索する検索機能と、前記検索機能により関連するオーダが検索された場合に、関連するオーダが存在することを警告する警告機能とをコンピュータに実現させることを特徴とする。
【発明の効果】
【００１９】
本発明によれば、オーダが登録されるオーダテーブルの中から、複数のオーダに対応する複数の検査データに基づく総合的な所見を含む１つの医用レポートを作成することにより、各オーダを統合して処理する統合処理が可能な、関連するオーダを検索して、その存在を警告するようにしたため、医用レポートの作成作業に関する業務効率を改善することができる。
【発明を実施するための最良の形態】
【００２０】
図１に示す医療情報システムは、例えば、病院などの医療施設に構築される。医療情報システムは、診療科１０に設置されるカルテシステム１１、放射線検査科（以下、単に検査科という）１２に設置されるＲＩＳ（Radiology Information System）１３、画像サーバ１４、及び読影室１８に設置されるレポートシステム１７からなる。これらはネットワーク２０を通じて通信可能に接続される。ネットワーク２０は、例えば、院内に敷設されたＬＡＮ（Local Area Network）である。
【００２１】
検査科１２には、画像診断を専門に行う医師（以下、読影医という）が所属しており、読影医は、撮影された検査画像を読影して、検査画像から把握される病変の状態などの観察記録や、それに基づく診断内容を、読影医の所見としてまとめたレポートを作成する。
【００２２】
カルテシステム１１は、カルテサーバ２１と、内科や外科といった各診療科１０にそれぞれ配置された診療科端末２３とからなる。カルテサーバ２１には、患者毎のカルテデータが検索可能に格納されるカルテＤＢ（Data Base）２４が構築されている。診療科端末２３は、診療科１０の医師や看護師などの診療科１０のスタッフによって操作され、カルテの閲覧や入力の他、検査科１２に対して検査を依頼するためのオーダの発行に利用される。
【００２３】
ＲＩＳ１３は、診療科端末２３が発行するオーダを、ネットワーク２０を介して受信して、オーダの受付処理を行うオーダ受付システムである。ＲＩＳ１３は、ＲＩＳサーバ２５とＲＩＳ端末２６からなる。ＲＩＳサーバ２５には、受信したオーダを格納するＤＢ（図示せず）が構築されている。検査科１２のスタッフは、ＲＩＳ１３を使用して、オーダの確認、検査終了の連絡や検査結果の報告といった依頼元への連絡を行う。
【００２４】
また、ＲＩＳ１３は、受け付けたオーダの内容に応じて、検査科１２内において業務の振り分けを行う。具体的には、ＲＩＳ１３は、受け付けたオーダに基づいて、ＣＲ（Computed Radiography）装置、ＣＴ（Computed Tomography）装置、ＭＲＩ（Magnetic Resonance Imaging）装置といったモダリティ２７に対して撮影のオーダを送信するとともに、オーダに読影依頼が含まれている場合には、レポートシステム１７に読影のオーダを送信する。撮影のオーダは、モダリティ２７のコンソールを通じて、モダリティ２７を操作する検査技師に通知される。
【００２５】
画像サーバ１４は、モダリティ２７とともにＰＡＣＳ（Picture Archiving and Communication Systems）を構成し、モダリティ２７が取得したデータを、ネットワーク２０を通じて受信して格納する、いわゆるＰＡＣＳサーバである。モダリティ２７は、例えば、１回の検査で、頭部、胸部、腹部、あるいは全身といった指定された部位をスキャンして、スキャンした部位の複数枚の断層画像群（ボリュームデータ）を取得する。このボリュームデータが画像サーバ１４に送信され、ボリュームデータから切り出された各断層画像が、それぞれ１枚の検査画像として画像サーバ１４に格納される。
【００２６】
画像サーバ１４には、検査画像を格納する画像ＤＢ２８が構築されている。検査画像は、例えば、ＤＩＣＯＭ（Digital Imaging and Communication in Medicine）に準拠したファイル形式で格納される。検査画像には、１つのファイル毎に１つの画像ＩＤが与えられる。また、ファイル内には、患者ＩＤ、検査日、検査種といった項目を含む付帯情報を記録したＤＩＣＯＭタグが付与される。画像ＤＢ２８に格納された検査画像は、ＤＩＣＯＭタグに含まれる項目を検索キーとして、検索が可能になっている。
【００２７】
レポートシステム１７は、レポート作成端末２９と、レポートサーバ３０からなり、読影医によるレポート作成を支援する医用レポート作成支援システムを構成する。レポートサーバ３０には、レポート３２を検索可能に格納するためのレポートＤＢ３１が構築されている。
【００２８】
レポートシステム１７は、ＲＩＳ１３から送信された読影のオーダを受信して、受信したオーダを管理するオーダ管理機能が組み込まれている。受信したオーダのデータは、レポートＤＢ３１に格納される。読影医は、レポート作成端末２９を通じて、レポートＤＢ３１からオーダを読み出し、その内容を確認する。そして、読影医は、読影のオーダに従って、レポート作成端末２９を使用して、画像サーバ１４から読影の対象となる検査画像を読み出し、その検査画像を読影し、読影結果を所見としてまとめたレポート３２を作成する。作成されたレポート３２のデータは、レポートサーバ３０に格納される。
【００２９】
レポート３２の作成が完了すると、検査の依頼元である依頼医の診療科端末２３に対して、作成完了通知が送信される。作成完了通知には、検査画像やレポート３２のデータが格納される、画像サーバ１４やレポートサーバ３０内のアドレスが含まれている。診療科１０の医師は、診療科端末２３を通じてそのアドレスにアクセスして、検査画像やレポート３２を閲覧する。
【００３０】
これらの各サーバ１４、２１、２５、３０、各端末２３、２６、２９は、それぞれ、サーバ用コンピュータ、パーソナルコンピュータ、ワークステーションといったコンピュータをベースに、オペレーティングシステムなどの制御プログラムや、クライアントプログラム又はサーバプログラムといったアプリケーションプログラムをインストールして構成される。
【００３１】
図２に示すように、上記サーバや端末などを構成するコンピュータは、基本的な構成は略同じであり、それぞれ、ＣＰＵ４１、メモリ４２、ストレージデバイス４３、ＬＡＮポート４４、及びコンソール４６を備えている。これらはデータバス４７を介して接続されている。コンソール４６は、ディスプレイ４８と、キーボードやマウスなどの入力デバイス４９とからなる。
【００３２】
ストレージデバイス４３は、例えば、ＨＤＤ（Hard Disk Drive）であり、制御プログラムやアプリケーションプログラム（ＡＰ）５０が格納される。また、ＤＢが構築されるサーバには、プログラムを格納するＨＤＤとは別に、ＤＢ用のストレージデバイス４３として、例えば、ＨＤＤを複数台連装したディスクアレイが設けられる。ディスクアレイは、サーバ本体に内蔵されるものでもよいし、サーバ本体とは別に設けられ、サーバ本体にケーブルやネットワークを通じて接続されるものでもよい。
【００３３】
メモリ４２は、ＣＰＵ４１が処理を実行するためのワークメモリである。ＣＰＵ４１は、ストレージデバイス４３に格納された制御プログラムをメモリ４２へロードして、プログラムに従った処理を実行することにより、コンピュータの各部を統括的に制御する。ＬＡＮポート４４は、ネットワーク２０との間の伝送制御を行うネットワークインタフェースである。
【００３４】
画像サーバ１４及びレポートサーバ３０には、ＡＰ５０として、クライアントからの要求に応じて処理を実行し、処理結果を応答するサーバプログラムがインストールされている。画像サーバ１４及びレポートサーバ３０のサーバプログラムは、モダリティ２７やレポート作成端末２９といったクライアントからのデータ（検査画像、レポート３２）の格納要求に応じて、各ＤＢ２８、３１への格納処理を実行する。また、診療科端末２３、レポート作成端末２９からの検査画像やレポート３２の閲覧要求に応答して、要求された検査画像やレポート３２をそれぞれのＤＢ２８、３１から検索して、検索されたデータを要求元へ配信する。
【００３５】
診療科端末２３には、ＡＰ５０として、カルテの閲覧や編集を行うカルテ用のクライアントプログラムがインストールされている。カルテ用のクライアントプログラムが起動されると、診療科端末２３のディスプレイには、ＧＵＩ（Graphical User Interface）によるカルテ用の操作画面が表示される。操作画面には、入力デバイスによって選択され、カルテＤＢ２４から読み出された患者のカルテデータが表示される。
【００３６】
診療科端末２３には、コンソールを通じて、カルテの入力・編集の指示や、オーダの入力・発行の指示といった操作指示が入力される。入力されたカルテやオーダのデータは、カルテＤＢ２４に格納される。また、診療科端末２３は、カルテ用のクライアントプログラムやブラウザによって、画像サーバ１４やレポートサーバ３０にアクセスして、検査画像やレポート３２を読み出して、ディスプレイに表示する。
【００３７】
依頼医は、検査依頼をする場合には、診療科端末２３のコンソールからそれぞれの検査依頼の内容を入力して、オーダ発行の指示を行う。発行されたオーダは、ＲＩＳ１３へ送信される。ＲＩＳ１３は、診療科端末２３から受信したオーダに対して、検査ＩＤを付与し、オーダの受付を完了した旨の通知に検査ＩＤを含めて、診療科端末２３に送信する。
【００３８】
図３に示すように、１人の患者について、ＣＴ検査及びＣＲ検査といった複数の検査をオーダする場合には、検査毎にそれぞれのオーダが発行される。１人の患者について、同時期に複数種類の検査を実施することは、患者の病状を多角的に分析するのに役立つため、患者の診療方針の決定や確定診断を下す際に、しばしば行われる。ＣＴオーダ５１ａは、ＣＴ検査のオーダの例であり、ＣＲオーダ５１ｂは、ＣＲ検査のオーダの例である。
【００３９】
各オーダ５１ａ、５１ｂには、依頼内容として、患者ＩＤ、患者名、依頼日、依頼元、検査内容、読影の要否といった項目の情報が記録される。依頼元の情報には、依頼科や依頼医の識別情報が含まれる。検査内容には、検査種（ＣＲ、ＣＴなど）、検査部位（頭部、胸部など）、撮影方向（正面、背面、左右の４方向など）といった項目が含まれる。ＣＴオーダ５１ａ、ＣＲオーダ５１ｂは、同日（「０８／０２／１３」）に、同一の依頼元（「内科：鈴木」）から発行されたオーダである。また、１人の患者の検査に関するオーダであるため、患者ＩＤ（「１２３４」）、患者名（「富士一郎」）が共通している。検査内容は、ＣＴオーダ５１ａでは、「頭部」が指定されており、ＣＲオーダ５１ｂでは、「頭部４方向」が指定されている。撮影方向の指定が無い場合には、例えば、撮影方向として、正面の１方向のみの指定が行われたものとみなされる。ＣＴオーダ５１ａ及びＣＲオーダ５１ｂは、読影の要否がどちらも「要」であるため、ＲＩＳ１３を経由して、読影のオーダとしてレポートシステム１７に送信される。
【００４０】
図４に示すように、レポート作成端末２９には、ＡＰ５０として、レポート作成支援を行うレポート編集用のクライアントプログラムがインストールされており、レポート作成端末２９のＣＰＵは、レポート編集用のクライアントプログラムを起動すると、制御部２９ａとして機能する。レポートサーバ３０のＣＰＵは、上記サーバプログラムが起動されると、オーダ受信部３０ａ、ＤＢ管理部３０ｂとして機能する。レポートＤＢ３１には、レポート作成端末２９で作成されたレポート３２のデータファイルと、オーダテーブル５６が格納される。
【００４１】
ＤＢ管理部３０ｂは、レポートＤＢ３１にアクセスして、オーダテーブル５６やレポート３２の読み取り及び書き込みを行う。オーダ受信部３０ａは、ＲＩＳ１３から読影のオーダを受信する。ＤＢ管理部３０ｂは、オーダ受信部３０ａからの登録指令に基づいて、オーダ受信部３０ａが受信した読影のオーダをオーダテーブル５６に登録する。
【００４２】
また、ＤＢ管理部３０ｂは、制御部２９ａからのレポート３２やオーダテーブル５６の読み出しや書き込みの要求を受けて、レポートＤＢ３１にアクセスして、要求に応じた処理を実行する。さらに、ＤＢ管理部３０ｂは、診療科端末２３からのレポート３２の配信要求を受け付けて、要求されたレポート３２を配信する。
【００４３】
制御部２９ａは、コンソール制御処理、具体的には、レポート作成端末２９のディスプレイに、ＧＵＩ（Graphical User Interface）による操作画面を出力する制御と、この操作画面を通じて、入力デバイスからの操作指示の入力を受け付ける入力制御とを行う。操作画面には、レポートを編集するためのレポート編集画面５９（図６参照）や、オーダテーブル５６に登録された複数の読影のオーダのリストを表示するリスト画面（図６の読影ワークリスト５７参照）が含まれる。制御部２９ａは、レポート編集画面５９を通じて、所見の入力を受け付けて、レポート３２の編集処理を実行する。また、制御部２９ａは、レポートサーバ３０に対して、データの読み出し、検索、格納といった処理要求を送信して、レポートサーバ３０から処理結果を受信する。
【００４４】
レポート編集用のクライアントプログラムとしては、専用のプログラムを使用してもよいし、ＨＴＴＰ（Hyper Text Transfer Protocol）に対応した汎用的なＷｅｂブラウザを使用してもよい。専用のプログラムを使用する場合には、操作画面は、専用のプログラムで定義された画面データに基づいて生成される。汎用的なＷｅｂブラウザを使用する場合には、レポートサーバ３０から画面データを含むＷｅｂページをダウンロードして操作画面が生成される。
【００４５】
図５において、オーダテーブル５６には、オーダ毎に、患者ＩＤ、患者名、検査ＩＤ、依頼日、依頼元（依頼科及び依頼医）、検査内容（検査種、検査部位など）、検査予定日、検査ステータス、読影ステータス、関連情報といった項目の情報を記録するフィールドが設けられている。患者ＩＤ、患者名、依頼日、依頼元、検査内容のフィールドには、各オーダ５１ａ、５１ｂから読み出された情報が記録される。検査予定日のフィールドには、検査を実施する予定日が記録される。
【００４６】
検査ステータスは、モダリティ２７による撮影の進捗状況を表す情報である。検査ステータスのフィールドには、撮影が完了したことを表す「完了」、撮影中であることを表す「検査中」、撮影が開始されていないことを表す「未了」といった情報が記録される。検査ステータスの情報は、例えば、ＲＩＳ１３を経由して取得される。読影ステータスは、読影医による読影の進捗状況を表す情報である。読影ステータスのフィールドには、読影（レポートの作成を含む）が完了したことを表す「完了」、読影中であることを表す「読影中」、読影が開始されていないことを表す「未処理」といった情報が記録される。
【００４７】
関連情報のフィールドは、各オーダに関連するオーダの情報が記録されるフィールドである。ＣＴオーダ５１ａやＣＲオーダ５１ｂは、検査種が異なるだけで、患者名、患者ＩＤ、依頼元の情報が共通しており、オーダの発行時期も同時期（依頼日が同じ）である。こうしたオーダの場合、上述したとおり、依頼医は、それぞれの検査結果を総合的に考慮して、診療方針の決定に利用する可能性が高い。そのため、読影医に対しては、各検査のそれぞれの検査画像に関する総合的な所見が記入されたレポート３２の作成を望んでいる可能性が高い。そこで、レポートシステム１７では、オーダテーブル５６に登録されたオーダを調べて、患者ＩＤ、依頼元の情報及び依頼日の３つの項目を照合して、その照合結果に基づいて関連するオーダを検索する。
【００４８】
そして、関連するオーダが見つかった場合には、それぞれのオーダの関連情報のフィールドに、それぞれのオーダの検査ＩＤを記録する。具体的には、ＣＴオーダ５１ａに対応する関連情報のフィールドには、ＣＲオーダ５１ｂの検査ＩＤ（「ＣＲ０４６」）が記録され、ＣＲオーダ５１ｂに対応する関連情報のフィールドには、ＣＴオーダ５１ａの検査ＩＤ（「ＣＴ０１２」）が記録される。こうして、ＣＴオーダ５１ａ、ＣＲオーダ５１ｂのように関連するオーダ同士が相互に関連付けられる。
【００４９】
関連するオーダの検索処理や関連付け処理は、具体的には、ＤＢ管理部（検索手段に相当）３０ｂによって、以下のような手順で行われる。ＤＢ管理部３０ｂは、オーダ受信部３０ａが取得したオーダをオーダテーブル５６に登録する際に、オーダテーブル５６内の登録済みのオーダの中から、取得したオーダと関連するオーダの検索処理を実行する。検索処理においては、取得したオーダと、登録済みの各オーダのそれぞれの３つの照合項目（患者ＩＤ、依頼元の情報、依頼日）を照合して、各照合項目の内容が全て一致するオーダがあるか否かを調べる。
【００５０】
そして、登録済みのオーダの中に、３つの照合項目の内容が全て一致するオーダが見つかった場合には、その登録済みのオーダを関連するオーダと判定する。関連するオーダと判定された登録済みのオーダと、取得したオーダとは、互いに関連するオーダであり、両オーダに対して、関連付け処理が実行される。関連付け処理においては、各オーダの関連情報のフィールドに互いの検査ＩＤが記録される。
【００５１】
なお、本例では、患者ＩＤ、依頼元情報、依頼日の３つの項目を照合項目として、それらのすべての照合項目の内容が一致した場合に関連するオーダと判定しているが、日にちがずれて、関連する複数のオーダが発行されることもあるので、患者ＩＤと依頼元情報の２項目のみで判定してもよい。また、依頼日を照合項目にした場合には、数日の日にちのずれがあっても、関連するオーダと判定されるように、関連するオーダと判定する基準となる、日数の範囲を設定しておいてもよい。この場合には、ＤＢ管理部３０ｂは、その設定に基づいて検索処理や関連付け処理を行う。
【００５２】
また、上記依頼日に加えて、または、その代わりに、検査予定日を照合項目として使用してもよい。検査予定日を使用する場合にも、依頼日と同様に、関連するオーダと判定する基準となる、日数の範囲を設定しておくとよい。
【００５３】
図６に示す読影ワークリスト５７は、レポート作成端末２９のディスプレイに表示されるリスト画面の例である。制御部２９ａは、レポート作成端末２９の入力デバイスから入力された操作指示に基づいて、レポートサーバ３０からオーダテーブル５６の情報を読み出して、読影ワークリスト５７を生成し、ディスプレイに出力する。
【００５４】
読影ワークリスト５７には、オーダテーブル５６の各フィールドに対応して、検査ＩＤ、依頼日、患者ＩＤ、患者名、依頼元、検査内容、検査予定日、検査ステータス、読影ステータス、関連情報の各フィールドが設けられている。関連情報のフィールドには、関連するオーダ（ＣＴオーダ５１ａ、ＣＲオーダ５１ｂ）の検査ＩＤが表示される。この表示は、関連するオーダを他のオーダと識別するための識別情報の役割を果たし、関連するオーダが存在することを読影医に通知するための警告として機能する。したがって、制御部２９ａは、警告手段に相当する。
【００５５】
関連する複数のオーダは、各オーダに対応する検査画像に基づく総合的な所見が記入される１つのレポート３２を作成することが可能なオーダである。そのため、上記警告により、関連する複数のオーダの処理方法について、オーダ毎にレポートを個別に作成する個別処理、又は、関連する複数の検査データに基づく総合的な所見をまとめた１つのレポートを作成することにより、各オーダを統合して処理する統合処理の選択を誤ることがないように、読影医に対して注意を喚起することができる。すなわち、関連するオーダの存在を知ることができれば、読影医にとっては、それらのオーダを統合処理するか否かを確認する契機となり、必要に応じて、依頼医の意向を問い合わせるといったアクションを起こすことも可能となる。
【００５６】
これにより、統合処理を行うべきオーダに対して、誤って個別処理を行ってしまい、改めて１つのレポート３２にまとめ直すといった、レポート作成作業のやり直しが防止され、業務効率が改善される。
【００５７】
読影ワークリスト５７において、マウスのポインタ５８でいずれかのオーダを選択して、クリック操作すると、選択したオーダに対応するレポート３２を作成するためのレポート編集画面５９へ移行する。読影医は、レポート編集画面５９を通じて所見を入力して、レポート３２を作成する。図６に示すように、検査ＩＤが「ＣＲ０４５」のオーダのように、関連するオーダが存在しないオーダが選択された場合には、無条件でレポート編集画面５９へ移行する。
【００５８】
レポート編集画面５９で作成されたレポート３２のデータは、対応するオーダと関連付けて、レポートＤＢ３１に格納される。具体的には、レポート３２のデータには、対応するオーダに含まれる、検査ＩＤ、患者ＩＤ、患者名といった情報が付与されて、レポートＤＢ３１に記録される。
【００５９】
一方、ＣＴオーダ５１ａやＣＲオーダ５１ｂに対応する、検査ＩＤが「ＣＴ０１２」や検査ＩＤが「ＣＲ０４６」のオーダが選択された場合には、レポート編集画面５９に直ちに移行せず、図７（Ａ）に示すように、制御部２９ａは、選択されたオーダについて、関連するオーダが存在することを読影医に知らせるための案内画面６１をディスプレイに表示して、警告を行う。
【００６０】
上述のとおり、読影ワークリスト５７には、関連情報のフィールドが設けられており、このフィールドに表示される検査ＩＤが、警告として機能する。しかし、その表示だけでは、見過ごしや見落としが生じる危険性もあるので、読影ワークリスト５７において１つのオーダが選択されたときに、案内画面６１を表示することで、より積極的な警告を行っている。
【００６１】
図７（Ａ）に示す案内画面６１は、読影ワークリスト５７において、検査ＩＤが「ＣＴ０１２」のオーダが選択された場合に表示される案内画面の例である。案内画面６１には、選択されたオーダ（検査ＩＤ：「ＣＴ０１２」）には関連するオーダ（検査ＩＤ：「ＣＲ０４６」）が存在する旨のメッセージ（第１メッセージに相当する）、関連するオーダの内容（患者名、依頼元の情報、検査ＩＤ、検査ステータスなど）が表示される。
【００６２】
さらに、案内画面６１には、「各オーダの読影をまとめて行いますか？」というように、関連する複数のオーダの処理方法について、統合処理と個別処理のいずれかを選択すべきことを通知するメッセージ（第２メッセージに相当する）が表示されるとともに、統合処理及び個別処理のそれぞれを選択するためのＧＵＩによる操作ツールである選択ボタン６１ａ、６１ｂが設けられる。
【００６３】
読影医は、統合処理を選択する場合には、選択ボタン６１ａをマウスでクリック操作し、個別処理を選択する場合には、選択ボタン６１ｂをマウスでクリック操作する。制御部２９ａは、選択ボタン６１ｂがクリック操作されて、個別処理が選択された場合には、読影ワークリスト５７からレポート編集画面５９へ移行させる。個別処理が選択された場合には、図７（Ａ）の左側のレポート３２に示すように、制御部２９ａは、レポート３２のデータに、対応するオーダの検査ＩＤ（「ＣＴ０１２」）が１つだけ付与する。
【００６４】
一方、選択ボタン６１ａがクリック操作されて、統合処理が選択された場合には、関連するオーダの進捗状況に応じて、レポート編集画面５９へ移行させる否かを決定する。すなわち、制御部２９ａは、関連するオーダの検査ステータスを調べて、検査が完了している場合には、レポート編集画面５９へ移行させる。検査が完了していない場合（「未了」又は「検査中」）には、図７（Ｂ）に示す案内画面６２を表示する。案内画面６２には、「関連するオーダの検査は完了していません」といった、検査の進捗状況を通知するメッセージが表示される。案内画面６２の確認ボタン６２ａをクリック操作すると、案内画面６２が閉じられる。
【００６５】
統合処理が選択された場合のレポート編集画面５９には、関連する複数のオーダの検査ＩＤが表示される。読影医は、このレポート編集画面５９を通じて、複数のオーダの検査画像に基づく総合的な所見を入力して、レポート３２を作成する。
【００６６】
このように統合処理が選択された場合には、図７（Ａ）の右側に示すレポート３２のように、関連する複数のオーダの検査ＩＤ（「ＣＴ０１２」、「ＣＲ０４６」）が付与される。こうして関連する複数のオーダと関連付けが行われた状態で、レポート３２のデータがレポートＤＢ３１に格納される。依頼医の診療科端末２３には、オーダ毎に作成完了通知が送信されるが、統合処理された複数のオーダに対応する作成完了通知には、統合処理によって作成された１つのレポート３２のデータの格納先のアドレスが付加される。
【００６７】
また、図７（Ａ）に示す案内画面６１には、選択ボタン６１ａ、６１ｂに加えて、統合処理の対象となるオーダを選択するための選択ボタン６１ｃが設けられている。選択ボタン６１ｃをクリック操作すると、読影ワークリスト５７のオーダ中から、統合処理の対象となるオーダを読影医がマニュアルで選択することができる。
【００６８】
以下、上記構成による作用について、図８、９に示すフローチャートを参照しながら説明する。図８のフローチャートに示すように、レポートシステム１７は、ＲＩＳ１３からオーダを取得した場合には、ＤＢ管理部３０ｂが取得したオーダをオーダテーブル５６に登録する。ＤＢ管理部３０ｂは、取得したオーダに関連するオーダの検索処理を実行する。検索処理において、オーダテーブル５６に登録済みのオーダの中に、取得したオーダと照合項目（患者ＩＤ、依頼元情報、依頼日）が一致する関連するオーダが見つかった場合には、関連付け処理が実行される。関連付け処理においては、オーダテーブル５６内の、関連する各オーダの関連情報のフィールドに、互いの検査ＩＤが記録される。
【００６９】
図９に示すように、読影医は、レポート３２を作成する場合には、レポート作成端末２９のディスプレイに読影ワークリスト５７を表示し、読影ステータスが「未処理」のオーダの中から、処理対象のオーダを確認する。読影ワークリスト５７では、関連するオーダが存在するオーダについては、その関連情報のフィールドに検査ＩＤが表示される。読影医は、この表示により、オーダの処理方法（統合処理又は個別処理）について、依頼医の意向に沿った適切な処理方法を確認する契機を得ることができる。
【００７０】
また、読影ワークリスト５７において、処理対象のオーダがマウスのクリック操作によって選択されると、制御部２９ａは、選択されたオーダの関連情報のフィールド内の検査ＩＤの有無を調べることにより、関連するオーダの有無を判定し、関連するオーダが有る場合には、案内画面６１をディスプレイに表示する。案内画面６１には、選択されたオーダに関連するオーダが存在する旨のメッセージと、統合処理及び個別処理のいずれかを選択すべきことを通知するメッセージが表示される。この案内画面６１による警告によって、読影医に対して、オーダに対する適切な処理方法を確認する契機が確実に与えられるので、読影医がオーダの処理方法を誤ることがない。そのため、レポート３２を作成し直すといった無駄な作業が無くなり、業務効率が改善される。オーダの処理方法が選択されると、レポート編集画面５９が表示される。読影医は、レポート編集画面５９を通じてレポート３２を作成する。
【００７１】
上記実施形態では、読影ワークリストに関連情報を表示することによる警告と、案内画面による警告の２種類の警告を組み合わせた例で説明しているが、例えば、読影ワークリストに関連情報を表示することなく、案内画面による警告だけを行うというように、警告は一方だけでもよい。
【００７２】
上記実施形態では、案内画面に、関連するオーダが存在する旨のメッセージやオーダの処理方法の選択を促すメッセージを表示しているが、これらに加えて、依頼医が過去にどのような処理方法を指定したかを示す履歴情報を表示してもよい。履歴情報を表示することで、依頼医が希望する処理方法の傾向を把握することができる。この場合には、例えば、オーダテーブル内のオーダ毎に、選択された処理方法の情報を記録しておき、制御部が依頼医毎にその記録を読み出して、履歴情報として案内画面に表示する。
【００７３】
また、上記実施形態では、オーダテーブルに取得したオーダを登録する際に、関連するオーダと取得したオーダとの関連付けを行って、関連するオーダ同士の検査ＩＤをオーダテーブルに記録するようにしている。このように、オーダテーブル上で予め関連付けを行っているため、警告を行うための関連するオーダの検索速度が向上する。しかし、読影ワークリストを表示する度に、オーダの照合（患者ＩＤ、依頼元情報、依頼日の照合）を行って、関連するオーダの検索を行うようにすれば、オーダテーブル上で予め関連付けを行わなくてもよい。また、関連するオーダの検索処理を、レポートサーバのＤＢ管理部が行うようにしているが、レポート作成端末の制御部が、オーダテーブルにアクセスして、検索処理を行ってもよい。
【００７４】
また、上記実施形態では、オーダに含まれる依頼元情報及び患者ＩＤを照合して、関連するオーダを検索する例で説明している。しかし、例えば、依頼医が、複数のオーダが統合処理されるように関連付ける指示を行い、その指示内容を表す指示情報を各オーダの依頼内容に記録して各オーダを発行するというように、マニュアル入力によってオーダの処理方法が指定されている場合には、オーダに記録された指示情報を照合項目として、関連するオーダを検索してもよい。
【００７５】
マニュアル入力によってオーダの処理方法が指定されている場合には、レポート作成端末の制御部は、案内画面において、関連するオーダの処理方法として、統合処理が指定されている旨のメッセージを表示する。さらに、統合処理の対象となるすべてのオーダの検査が完了した後、レポートの作成作業に着手すべき旨のメッセージを表示してもよい。また、統合処理の対象となるすべてのオーダの検査が完了するまでの間、そのオーダの中に検査が完了済みのオーダがあっても、完了済みのオーダを含めた統合処理の対象となるすべてのオーダについて、読影ワークリストへの表示を禁止してもよい。こうすれば、読影医が誤って、統合処理すべきオーダを、個別処理してしまうことが確実に防止される。
【００７６】
上記実施形態では、レポートシステムを構成する、レポート作成端末及びレポートサーバをそれぞれ１台で構成した例で説明したが、１台のレポートサーバに複数のレポート作成端末を接続した構成でもよいし、レポートサーバを複数台で構成してもよい。また、１台のコンピュータにレポート作成端末の機能とレポートサーバの機能を統合してもよい。この場合には、レポート作成端末にインストールされたクライアントプログラムの機能とサーバプログラムの機能を統合したプログラムが、レポートプログラムを構成する。
【００７７】
また、上記実施形態のように、クライアント（レポート作成端末）と、サーバ（レポートサーバ）とからなるクライアントサーバ型のコンピュータシステムの場合には、上述のとおり、レポート編集用のクライアントプログラムとして、専用のプログラムを使用してもよいし、ＨＴＴＰ（Hyper Text Transfer Protocol）といった、ＷＷＷ（World Wide Web）のプロトコルに対応した汎用的なブラウザを使用してもよい。
【００７８】
汎用的なブラウザを使用する場合には、例えば、Ｗｅｂサーバに操作画面（レポート編集画面や読影ワークリスト）のデータを格納しておき、クライアントはＷｅｂサーバにアクセスして、Ｗｅｂページの形式に加工された操作画面のデータをダウンロードする。クライアントのブラウザは、受信したＷｅｂページのソースコードを解釈して操作画面を生成する。Ｗｅｂサーバは、レポートサーバが兼用してもよいし、レポートサーバとは別のサーバでもよい。Ｗｅｂサーバが操作画面を生成する場合には、ＷｅｂサーバのＣＰＵが、クライアントのＣＰＵと協働して、または、単独で、検索手段、警告手段、制御手段を構成する。
【００７９】
また、レポートＤＢをレポートサーバに構築した例で説明したが、レポートサーバの代わりに、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【００８０】
上記実施形態では、レポートシステムに、オーダの管理機能を組み込んで、レポートシステムを、本発明のオーダ管理装置として機能させた形態で説明している。レポートシステムにオーダ管理機能を組み込むことで、レポート作成作業とオーダ確認作業を１つの端末で行うことが可能となり、便利である。しかし、オーダ管理装置を、レポートシステムを構成するコンピュータシステムから独立させて、別のコンピュータシステムによって構成してもよい。その場合には、オーダ管理装置を構成するコンピュータシステムには、上記レポートプログラムの機能のうち、オーダ管理機能のみを切り出したオーダ管理プログラムがインストールされる。また、上述したＲＩＳなどのように、検査のオーダを受け付けるオーダ受付装置に、本発明のオーダ管理装置を組み込んでもよい。
【００８１】
上記実施形態では、ネットワークとしてＬＡＮを例に説明しているが、診療科と検査科が複数の拠点に分散しているような場合には、ネットワークとしてＬＡＮとＷＡＮ（Wide Area Network）を組み合わせて使用してもよい。
【００８２】
上記実施形態では、検査の組み合わせの例として、ＣＴ検査とＣＲ検査を例に説明したが、もちろん、検査種はこれらに限定されるものではなく、ＭＲＩ検査、ＰＥＴ（Positron Emission Tomography）検査、超音波検査、内視鏡検査といった他の検査でもよい。また、レポートとして、検査画像を読影する読影レポートの例で説明したが、画像以外の検査データに対する所見をまとめたレポートでもよい。画像以外の検査データとしては、例えば、病理検査などの検体検査や、生理検査などで得られる数値データや心電図などの波形図がある。
【００８３】
上記実施形態では、１つの検査科で実施される複数種の検査（ＣＲ検査やＣＴ検査など）のオーダのみをオーダ管理装置の管理対象としていたが、異なる検査科で実施される複数種（ＣＲ検査と病理検査など）の検査のオーダを、オーダ管理装置の管理対象としてもよい。
【００８４】
なお、上記実施形態で示したとおり、本発明は、プログラムの形態、さらにはプログラムを記憶する記憶媒体にも及ぶことはもちろんである。
【図面の簡単な説明】
【００８５】
【図１】医療情報システムの構成図である。
【図２】各サーバ及び各端末を構成するコンピュータの概略を示す構成図である。
【図３】オーダの内容の説明図である。
【図４】レポートシステムの概略を示す構成図である。
【図５】オーダテーブルの説明図である。
【図６】読影ワークリストの説明図である。
【図７】案内画面の説明図である。
【図８】オーダの関連付けの手順を示すフローチャートである。
【図９】案内画面の表示手順を示すフローチャートである。
【符号の説明】
【００８６】
１０  診療科
１１  カルテシステム
１２  放射線検査科（検査科）
１３  ＲＩＳ
１４  画像サーバ
１７  レポートシステム
２９  レポート作成端末
２９ａ  制御部
３０  レポートサーバ
３０ａ  オーダ受信部
３０ｂ  ＤＢ管理部
３１  レポートＤＢ
３２  レポート
５６  オーダテーブル
５７  読影ワークリスト
６１、６２  案内画面
【図１】
0005100490.tif 000002
【図２】
0005100490.tif 000003
【図３】
0005100490.tif 000004
【図４】
0005100490.tif 000005
【図５】
0005100490.tif 000006
【図６】
0005100490.tif 000007
【図７】
0005100490.tif 000008
【図８】
0005100490.tif 000009
【図９】
0005100490.tif 000010